(57)【特許請求の範囲】
【請求項１】
容器の上部開放部を覆うための蓋と、
前記蓋に設けられた蓋ハンドルと、を備え、前記蓋ハンドルは、前記蓋に取り付けられた第１の端部と、第２の自由端と、を備え、
前記蓋ハンドル上に設けられ、ハンドル及び機能端を有する用具の用具ハンドルを保持するための前記蓋ハンドルに設けられた用具ハンドル固定要素を有する用具置きをさらに備え、
前記用具置きは、前記蓋ハンドルの上面に用具ハンドル置き要素を有し、
前記用具置きは、前記蓋ハンドル上に用具機能端静止要素を有し、
前記蓋ハンドルの前記用具ハンドル固定要素は、貫通スロットを含み、
前記貫通スロットは、第１の側部と、該第１の側部から間隔を置いて配置された第２の側部とを含み、前記第１の側部及び第２の側部は、前記貫通スロットに位置付けられた用具ハンドルと係合し、
上部開放部を有する容器が設けられ、前記蓋は、前記容器の前記上部開放部を覆うような大きさである
ことを特徴とする調理器具。
【請求項２】
前記蓋ハンドルは、前記蓋の外側領域に取り付けられ、前記外側領域から離れて前記蓋の中央に向かって延び、前記第２の自由端で終端し、
前記貫通スロットは、前記蓋ハンドルに沿って縦方向に延びる、
請求項１に記載の調理器具。
【請求項３】
前記蓋ハンドルは、上方延在領域と、前記蓋の中央に向かって前記上方延在領域から離れて延びて前記第２の自由端で終端する内向延在部分とを含み、
前記用具ハンドル置き要素は、前記第２の自由端上にあり、
前記用具機能端静止要素は、前記上方延在領域上にある、
請求項１に記載の調理器具。
【請求項４】
前記用具ハンドル固定要素は、前記用具機能端静止要素に隣接する、
請求項３に記載の調理器具。
【発明の詳細な説明】
【背景技術】
【０００１】
本発明は、全体的にはスプーン置きのような用具置き付きハンドルを有する蓋を含む家庭調理器具に関する。
【技術分野】
【０００２】
ハンドル及びスプーン置きを備えた調理器具を提供することは公知である。公知のスプーン置きを有する調理器具に関連する問題点としては、その使用が困難であること、複雑であること、及び用具を１つの位置でしか置くことができない点を挙げることができる。
【発明の概要】
【発明が解決しようとする課題】
【０００３】
本発明の目的は、先行技術の問題点を解決するハンドル付き蓋を提供することである。
【０００４】
本発明の別の目的は、公知の蓋よりも使い易く、多用途であり、さらに使用中に用具置きの用具が汚れる可能性又は用具から蓋上に食物が落ちる可能性が低い、用具置き付きハンドルを有する蓋を提供することである。
【０００５】
本発明の更なる目的は、ユーザが用具を複数の静止位置に置くことができる、ハンドル及び用具置きを有する蓋を提供することである。
【０００６】
本発明の更に別の目的は、ハンドル及び用具置き、並びに用具ハンドルを第１の位置に固定すると共に用具の機能端及び用具のハンドルを第２の位置に置くための用具固定部分を有する蓋を提供することである。
【課題を解決するための手段】
【０００７】
前記及び他の目的は、公知のデバイスよりも煩雑ではない、用具置きを組み込んだハンドルを有する蓋を含む本発明による調理器具によって達成される。用具置きは、用具ハンドルを保持する用具ハンドル固定要素を含み、用具置きは、同様に用具の用具ハンドル及び機能端（又はヘッド）が静止位置に位置することができる用具静止部分を含む。用具ハンドル固定要素は貫通スロットを含むことができ、貫通スロットは、蓋ハンドルに沿って縦方向に延びることができる。蓋ハンドルは、上方延在領域と、上方延在領域から離れて蓋の中央に向かって延びる内向延在部分とを含むことができる。用具置き部分は、内向延在部分の自由端の用具ハンドル置き要素、及び用具ハンドルの上方延在領域の用具機能端静止要素並びに用具ハンドル固定要素を含むことができる。
【０００８】
上述の本発明の目的及び特徴は、同様の参照番号は同様の要素を示す図面を参照してより詳細に説明される。
【図面の簡単な説明】
【０００９】
【図１】本発明による用具置き付きハンドルを有する蓋の平面斜視図である。
【図２】図１の蓋の平面図である。
【図３】図２の線３−３に沿った拡大断面図である。
【図４】容器上で使用中の、本発明による用具置き付きハンドルを有する蓋の平面斜視図である。
【図５】異なる使用位置における図４と同様の平面斜視図である。
【図６】本発明による用具置き付きハンドルを有する蓋の第２の実施形態の平面斜視図である。
【図７】図６の蓋の側面図である。
【図８】開放位置で蓋を支持するハンドルを示す、図６の線８−８に沿った拡大断面詳細図である。
【発明を実施するための形態】
【００１０】
図１−３を参照すると、本発明による調理器具は、深鍋等の容器２０の上部開放部を覆うための蓋１０を含む。検討を容易にするするために、容器２０がハンドル２４、２６、及び開放端３６を有するように示される図４及び５を参照する。蓋１０は、外側領域５２及び内側領域５４を含むことができる。第１の端部６２及び第２の自由端６４を有する蓋ハンドル６０は、蓋１０上に設けることができる。第１の端部６２は、蓋１０の外側領域５２に取り付けること、例えば図示のように固定的に取り付けることができる。勿論、代替的に、第１の端部６２は、内側領域５４に取り付けることができる。
【００１１】
蓋ハンドル６０は、上方延在領域６６及び自由端６４で終端する内向延在部分６８をさらに含むことができる。勿論、内向延在部分６８は、外側領域５２から内側領域５４に向かって内向きに延びることに限定されず、内向延在部分６８は、説明の便宜上このように名付けられる。第１の端部６２が蓋１０の中央に固定される場合、内向延在部分６８は、実際には半径方向外向きに延びることになる。これは、本発明の範囲に包含される。貫通スロット８０は、第１の側部８２及び相隔たる第２側部８４を含み、内向延在部分６８に設けられ、上方延在領域６６中に途切れることなく延在することができる。貫通スロット８０は、ハンドル及び機能端（又はヘッド）を含む用具の用具ハンドルを保持するための用具ハンドル固定要素として機能することができる。例えば、貫通スロット８０は、それぞれ領域８６、８８を含むことができ、これらは、使用される用具ハンドルの構造に応じて用具ハンドルを保持するか又は保持を助ける。使用法は、図４及び５を参照して以下でより詳細に説明する。用具保持及び静止部分９０を設けることができる。用具静止部分９０は、スプーンのボウル等の機能端が静止位置にある場合に置くことができる機能端静止要素９４を含むことができる。用具保持及び静止部分９０は、用具ハンドル置き要素９８をさらに含むことができ、この上には、図５に示し以下で詳述するように、用具ハンドルを別の静止位置で置くことができる。用具保持及び静止部分９０は、図１−３から最もよく分かるように、上方延在領域６６上に設けられた用具ハンドル固定又は係合要素１０２をさらに含むことができる。係合要素１０２は、貫通スロット８０の第１の端部によって形成され、貫通スロット８０の第２の端部は、後部係合要素１０３を形成する。
【００１２】
用具ハンドル固定又は係合要素は、貫通スロット８０の一部、つまり貫通スロット８０の第１の側部８２及び第２の側部８４、具体的には領域８６、８８と見なすことができる。固定される用具の形状に応じて、用具ハンドルは、領域８６及び８８と係合すること又は非係合とすることができ、用具が図４の静止部分位置にある場合、用具ハンドルは係合することができる。これとは別に、保持要素１０２で保持できる用具ハンドルが存在する場合があり、保持要素１０２は、用具ハンドルを保持するための支持体の一部分又は実際にはその大部分を提供する。
【００１３】
図示され理解できるように、本発明によるハンドル上の用具置きは、蓋１０の内側領域５４から離れて用具の機能端１１８を保持するように構成されることが好ましい。このように、ユーザがハンドル６０で蓋１０を持ち上げる場合、内向延在部分６８でハンドル６０を把持する際に、結果的にユーザは用具ハンドル１１４を把持する。このように、ユーザの手は、使用中にハンドルの機能端１１８上に存在し得る食物に触れることはない。
【００１４】
ハンドル置きの構成は、図４及び５の使用位置の一方又は両方において、用具の機能端１１８が図示のように反対方向に配置されるように、すなわち、実質的に蓋の上の内側領域５４に配置されるように提供できることが想定されている。
【００１５】
さらに、図４及び５の異なる使用位置に示すように、ハンドル１１４及び機能端１１８を有する用具１１０は、図示のようにハンドル６０上に載ることができる。図４は、用具ハンドル１１４が用具ハンドル置き要素９８上に載り、機能端１１８が機能端静止要素９４上に載る第１の使用位置を示す。容易に理解されるように、用具１１０がハンドル６０上に載る箇所は、ハンドル１１４と機能端１１８との間に位置する用具１１０の遷移領域１２２とすることができる。図４の使用位置において、機能端１１８又は遷移領域１２２の一部は、機能端静止要素９４上に載ることになる。
【００１６】
図５は別の使用位置を示し、用具ハンドル１１４は、用具ハンドル係合要素１０２並びに貫通スロット８０の第１の領域８６及び第２の領域８８のうちの１つ又はそれ以上と係合する。図５に示すように、図示した用具１１０の場合、用具１１０は、係合要素１０２の領域及び貫通スロット８０の領域８６及び８８においてハンドル６０に接触する。図示のように、用具ハンドル１１４は、別の用具ハンドル係合領域１０６に接触しない。これは、用具ハンドル１１４と貫通スロット８０の側部８４との間に位置する番号が付けられていない空間又は隙間（番号が付与されていない）を考慮することによって理解できる。別の用具を使用した場合、容易に理解できるように、ハンドル１１４は、係合要素１０６に接触することができる。より具体的には、係合要素１０２は、ハンドル１１４に関する平衡点として作用することになり、機能端１１８の重さは用具の機能端を下向きに回転させるが、この回転は用具ハンドル１１４が係合領域１０６に当接することで阻止される。
【００１７】
図６〜８は、蓋ハンドルの別の実施形態を示す。この実施形態において、蓋ハンドル６０は、用具ハンドル係合要素１０２の下の離間した位置において上向延在領域６６から延びるプラットホーム形態のヘッドレスト１３０をさらに含む。ヘッドレスト１３０は、自由端で終端する。図７に最もよく示すように、用具機能端（又はヘッド）１１８は、ヘッドレスト１３０上に載ることができ、用具ハンドル１１４の一部は、横方向変位を防止するために貫通スロット８０に収容されている。さらに、用具ハンドル１１４は、要素１０２又は１０３の一方又は両方の上に載ることができる。従って、用具は、偶発的な又は意図しない動きに対してしっかり保持されるが、それでも容易に使用できる。さらに、別の２つの使用方法の説明と同様に、ユーザは、用具１１０が蓋ハンドル６０上に載っている状態で蓋ハンドル６０を用いて蓋１０を持ち上げることができる。
【００１８】
別の改良において、ヘッドレスト１３０の自由端は、下向きに延びるフック１４０をさらに含む。図８に最もよく示されるように、蓋１０は、深鍋の開放端３６の内部に部分的に収容され、蓋１０を略直立位置に保持するためにフック１４０が開放端の外側部分と係合した状態でこの上に載ることができ、蓋１０を保持することなく深鍋にアクセスできる。
【００１９】
蓋１０は、容器２０と組み合わせて提供することができ、蓋１０及び容器２０は、蓋１０が容器２０の開放端３６と嵌合してこれを閉じるような大きさに作られて構成されることが想定されている。
【００２０】
上述のことから、本発明は、前述の全ての目標及び目的を達成するのに、並びにその構造に固有の他の利点を実現するのに上手く適合することを理解できるはずである。
【００２１】
特定の特徴及び部分的な組み合わせは有用であり、他の特徴及び部分的組み合わせを参照することなく使用できることを理解できるはずである。これは、請求項によって想定されその範囲にある。
【００２２】
多くの可能性のある実施形態は、本発明の範囲から逸脱することなく本発明で実施することができるので、添付の図面に示す本明細書に記載した全ての内容は例示的であり、限定的な意味に解釈すべきではない。
【符号の説明】
【００２３】
１０  蓋
２０  容器
５２  外側領域
５４  内側領域
６０  蓋ハンドル
６２  第１の端部
６４  第２の自由端
６６  上方延在領域
８０  貫通スロット
９０  用具保持及び静止部分
【図１】
0006499034.tif 000002
【図２】
0006499034.tif 000003
【図３】
0006499034.tif 000004
【図４】
0006499034.tif 000005
【図５】
0006499034.tif 000006
【図６】
0006499034.tif 000007
【図７】
0006499034.tif 000008
【図８】
0006499034.tif 000009